(57)【要約】【課題】  外部からの侵入者がクレセントを容易に解除できないようにロックするロック装置を安価に提供する。【解決手段】  台座７とクレセント受け５との間の空隙１７に挿通される挿通部１８を有する掛け金１６と、この掛け金１６に連結される錠本体１５とを有する錠１３を備え、前記挿通部１８の、前記空隙１７への挿通方向基端側に、クレセント本体８がクレセント受け５に係合した状態において、挿通部１８を前記空隙１７に挿通した際に、クレセント本体８を操作する操作レバー部１０に係合し且つ前記挿通部１８と協働してクレセント本体８の回転操作を阻止するロック部材１４を設け、挿通部１８を前記空隙１７に挿通した際に、挿通部１８の挿通方向先端側を錠本体１５に係合させ且つ錠１３を施錠状態とすることにより、挿通部１８の前記空隙１７からの抜け止めがなされるように構成する。【選択図】      図１ 
2004316406.tif 000002
【特許請求の範囲】
【請求項１】
サッシュに取り付けられた台座（７）に回転自在に取り付けられたクレセント本体（８）を備え且つ該クレセント本体（８）を回転操作することによりクレセント受け（５）に係合してサッシュの戸締まりをするクレセント（２）をロックするロック装置であって、
台座（７）とクレセント受け（５）との間の空隙（１７）に挿通される挿通部（１８）を有する掛け金（１６）と、この掛け金（１６）に連結される錠本体（１５）とを有する錠（１３）を備え、
前記挿通部（１８）の、前記空隙（１７）への挿通方向基端側に、クレセント本体（８）がクレセント受け（５）に係合した状態において、挿通部（１８）を前記空隙（１７）に挿通した際に、クレセント本体（８）を操作する操作レバー部（１０）に係合し且つ前記挿通部（１８）と協働してクレセント本体（８）の回転操作を阻止するロック部材（１４）を設け、
挿通部（１８）を前記空隙（１７）に挿通した際に、挿通部（１８）の挿通方向先端側を錠本体（１５）に係合させ且つ錠（１３）を施錠状態とすることにより、挿通部（１８）の前記空隙（１７）からの抜け止めがなされるように構成したことを特徴とするクレセントのロック装置。
【請求項２】
錠（１３）は、一対の足部（１８），（１９）の一端側同志を連結部（２０）によって連結してなる掛け金（１６）と、この掛け金（１６）の足部（１８），（１９）の他端側に連結される錠本体（１５）とからなる南京錠（１３）で構成されており、この南京錠（１３）の掛け金（１６）の足部（１８），（１９）の内、錠本体（１５）に対して挿脱される一方の足部（１８）が台座（７）とクレセント受け（５）との間の空隙（１７）に挿通される挿通部（１８）とされていることを特徴とする請求項１に記載のクレセントのロック装置。
【請求項３】
ロック部材（１４）は、操作レバー部（１０）の、クレセント受け（５）に対するクレセント本体（８）の係合解除方向（Ａ）前方側に位置していて、操作レバー部（１０）の該係合解除方向（Ａ）の操作を規制する規制部（２６）を有することを特徴とする請求項１又は２に記載のクレセントのロック装置。
【請求項４】
ロック部材（１４）は、クレセント（２）の操作レバー部（１０）と台座（７）との間に挿入され、ロック部材（１４）の挿通部（１８）廻りの廻り止めを図る係合部（３０）を有することを特徴とする請求項１〜３のいずれかに記載のクレセントのロック装置。
【請求項５】
操作レバー部（１０）の係合解除方向（Ａ）の操作を規制する規制部（２６）は、クレセント（２）の操作レバー部（１０）と台座（７）との間に挿入される係合部（３０）側から突出状とされて設けられていることを特徴とする請求項４に記載のクレセントのロック装置。
【請求項６】
ロック部材（１４）は、操作レバー部（１０）の、クレセント受け（５）に対するクレセント本体（８）の係合解除方向（Ａ）前後両側に位置する一対の規制部（２６）を備えており、これら規制部（２６）間の間隔は、操作レバー部（１０）に係合して、ロック部材（１４）の挿通部（１８）廻りの回転を規制し得る間隔に形成されていることを特徴とする請求項１又は２に記載のクレセントのロック装置。
【発明の詳細な説明】
【技術分野】
【０００１】
本発明は、例えば、引き違いサッシュ（引違い戸、引き違い窓等）や上げ下げサッシュ（上げ下げ戸、上げ下げ窓等）等のサッシュの戸締まりに採用されるクレセントをロックするためのロック装置に関するものである。
【背景技術】
【０００２】
引違い戸等にあっては、一般に、内側戸の召し合わせ框に取り付けた台座に回転自在に取り付けられたクレセント本体を備え且つこのクレセント本体を回転させることにより、該クレセント本体を外側戸の召し合わせ框に取り付けたクレセント受けに係合させ、これにより引違い戸等の戸締まりがなされるようにしたクレセントが取り付けられている。
このクレセントが取り付けられた引違い戸等にあっては、屋外から不正に侵入しようとする者が、クレセント取付部近傍のガラスを局部的に破壊等して開口することによりクレセント本体を操作でき、これにより屋内に容易に侵入できるという問題がある。
【０００３】
そこで、このクレセント本体を容易に操作できないようにロックする装置として、クレセント本体の操作レバーにダイヤル式の南京錠を固定し、この南京錠のシャックルの一方の足部の先端側を、召し合わせ框に固定した固定プレートの挿入孔に挿入して、南京錠を施錠することにより、外部からの侵入者がクレセントを容易に解除操作（回転操作）できないようにしたものがある（特許文献１参照）。
このものにあっては、引違い戸等の各々に、南京錠及び固定プレートを取付固定しなければならず、これらの取り付けが面倒であると共に、これらが取り付けられたクレセント以外のクレセントに使用できないという問題がある。
【０００４】
そこで、既設のクレセントに容易に着脱自在に取り付けられるようにしたロック装置がある（特許文献２参照）。
このロック装置は、ロック部材とＵ字状の掛け金とを備え、前記ロック部材には、クレセントの操作レバー部を挿入して収容する収容孔と、掛け金の両足部を挿入する挿入孔とが設けられていると共に、該ロック部材には、掛け金がロック部材の挿入孔から抜脱するのを阻止するロック機構が設けられている。
前記ロック部材のロック機構は、キーによって操作されるシリンダ錠と、このシリンダ錠によって操作される係止機構とを有し、キーによってシリンダ錠を施錠操作することにより、係止機構によって掛け金がロック部材の挿入孔から抜脱できないようにロックされ、キーによってシリンダ錠を解錠操作することにより、掛け金がロック部材の挿入孔から抜脱できるようにロック解除されるようになっている。
【０００５】
このロック装置にあっては、クレセント本体がクレセント受けに係合した状態において、掛け金の一方の足部をクレセントの台座とクレセント受けとの間の空隙に挿通すると共に、ロック部材の収容孔にクレセントの操作レバー部を相対的に挿入し且つロック部材の挿入孔に掛け金の足部を相対的に挿入し、この状態でシリンダ錠を施錠操作し、該シリンダ錠のキーウェイからキーを抜くことことにより、クレセント本体が容易に解除操作できないようになっている。
【特許文献１】実開平５−５７２５７号公報
【特許文献２】特公平７−３９７７９号公報
【発明の開示】
【発明が解決しようとする課題】
【０００６】
前記特許文献２のロック装置にあっては、ロック部材に、クレセントの操作レバーを挿入する収容孔と、掛け金をロック部材から抜脱するのを阻止するロック機構とを備えているので、すなわち、クレセントに係合する機能と、ロック装置を施錠・解錠する錠機能とが１つのロック部材に組み込まれているので、ロック部材が複雑な構造になり、また、ロック部材が大きくなるという問題がある。
しかも、市販されている構造の南京錠のような安価な錠を使用することができず、このロック装置専用の錠機構等を備えたロック部材を特別に製作しなければならず、比較的コスト高なものとされている。
【０００７】
本発明は、前記問題点に鑑みて、製作容易で安価なクレセントのロック装置を提供することを目的とする。
【課題を解決するための手段】
【０００８】
本発明が技術的課題を解決するために講じた技術的手段は、サッシュに取り付けられた台座に回転自在に取り付けられたクレセント本体を備え且つ該クレセント本体を回転操作することによりクレセント受けに係合してサッシュの戸締まりをするクレセントをロックするロック装置であって、
台座とクレセント受けとの間の空隙に挿通される挿通部を有する掛け金と、この掛け金に連結される錠本体とを有する錠を備え、
前記挿通部の、前記空隙への挿通方向基端側に、クレセント本体がクレセント受けに係合した状態において、挿通部を前記空隙に挿通した際に、クレセント本体を操作する操作レバー部に係合し且つ前記挿通部と協働してクレセント本体の回転操作を阻止するロック部材を設け、
挿通部を前記空隙に挿通した際に、挿通部の挿通方向先端側を錠本体に係合させ且つ錠を施錠状態とすることにより、挿通部の前記空隙からの抜け止めがなされるように構成したことを特徴とする。
【０００９】
また、錠は、一対の足部の一端側同志を連結部によって連結してなる掛け金と、この掛け金の足部の他端側に連結される錠本体とからなる南京錠で構成されており、この南京錠の掛け金の足部の内、錠本体に対して挿脱される一方の足部が台座とクレセント受けとの間の空隙に挿通される挿通部とされているのがよい。
また、ロック部材は、操作レバー部の、クレセント受けに対するクレセント本体の係合解除方向前方側に位置していて、操作レバー部の該係合解除方向の操作を規制する規制部を有するのがよい。
【００１０】
また、ロック部材は、クレセントの操作レバー部と台座との間に挿入され、ロック部材の挿通部廻りの廻り止めを図る係合部を有するのがよい。
また、操作レバー部の係合解除方向の操作を規制する規制部は、クレセントの操作レバー部と台座との間に挿入される係合部側から突出状とされて設けられていてもよい。
また、ロック部材は、操作レバー部の、クレセント受けに対するクレセント本体の係合解除方向前後両側に位置する一対の規制部を備えており、これら規制部間の間隔は、操作レバー部に係合して、ロック部材の挿通部廻りの回転を規制し得る間隔に形成されていてもよい。
【発明の効果】
【００１１】
本発明によれば、クレセントをロックするロック装置は、台座とクレセント受けとの間の空隙に挿通される挿通部を有する掛け金と、この掛け金に連結される錠本体とを有する錠を備え、前記挿通部の、前記空隙への挿通方向基端側に、クレセント本体がクレセント受けに係合した状態において、挿通部を前記空隙に挿通した際に、クレセント本体を操作する操作レバー部に係合し且つ前記挿通部と協働してクレセント本体の回転操作を阻止するロック部材を設け、挿通部を前記空隙に挿通した際に、挿通部の挿通方向先端側を錠本体に挿入させ且つ錠を施錠状態とすることにより、挿通部の前記空隙からの抜け止めがなされるように構成されており、クレセントの操作レバーに係合する機能を有する部材（ロック部材）と、ロック装置を施錠する機能を有する部材（錠本体）とが別個の部材で構成されているので、構造の簡素化が図れ、安価に製造できる。
【００１２】
また、本発明では、クレセントの操作レバーに係合する機能を有する部材（ロック部材）と、ロック装置を施錠する機能を有する部材（錠本体）とを別個の部材で構成しているので、錠を南京錠のような、既製の安価な錠を採用でき、南京錠を採用することにより、安価なロック装置を提供することができる。
また、クレセントの操作レバーの位置はクレセントの種類によって、まちまちであり、１つの種類のクレセントをロックできても、他の種類のクレセントをロックするのができない場合が考えられるが、本発明では、ロック部材に、クレセントの操作レバー部と台座との間に挿入される係合部を設けることで、該係合部により、錠本体の一方の足部回りの回転規制が図れ、これにより、ロック部材のクレセントから外れが防止され、それにより、ロック部材の規制部と、クレセント本体の操作レバー部との間の隙間を比較的大きく採ることが可能となり、多種類のクレセントに対応させることができる（多種類のクレセントをロックすることが可能となる）。
【００１３】
また、クレセントによっては、クレセントの操作レバー部と台座との間に挿入される係合部を設けることができない場合があるが、本発明では、ロック部材に、操作レバー部の、クレセント受けに対するクレセント本体の係合解除方向前後両側に位置する一対の規制部を備え、これら規制部間の間隔を、操作レバー部に係合して、ロック部材の挿通部廻りの回転を規制し得る間隔に形成することにより、クレセントの操作レバー部と台座との間の隙間が狭いクレセントのロックに対応することができる。
【発明を実施するための最良の形態】
【００１４】
以下、本発明の実施の形態を図面を参照して説明する。
図１〜図８は本発明の第１の実施の形態を示しており、１はクレセント２に係脱自在に係合して該クレセント２を回転操作不能にロックするロック装置（クレセントロック）である。
前記クレセント２は、図１及び図６に示すように、建物の壁等に形成された開口を開閉する引き違い戸等（引き違いサッシュ）の内側戸（屋内側戸、室内側戸）の召し合わせ框３に取り付けられ、外側戸（屋外側戸、室外側戸）の召し合わせ框４に取り付けられたクレセント受け５に係脱自在に係合させることで、引違い戸等が開かないように戸締まりをするものである。
【００１５】
なお、以下、内側戸の移動方向開き側を前又は正面、内側戸の移動方向閉じ側を後又は背面ともいい、室内外方向（屋内外方向又は引違い戸等によって開閉される開口に直交する方向）を左右方向という。
クレセント２は、内側戸の召し合わせ框３の、戸の移動方向（開閉方向）開き側の端面に取付固定される台座７と、この台座７に取り付けられたクレセント本体８とを有し、クレセント本体８は召し合わせ框３の台座取付面３ａに略直交する方向の軸心Ｘ回りに回転自在に取り付けられている。
【００１６】
台座７は上下部が、上下方向中途部よりも薄肉に形成された取付部７ａとされていて、この取付部７ａが召し合わせ框３にネジによって取付固定されている。
また、台座７の上下方向中途部７ｂ（上下の取付部７ａ間）は、取付部７ａ正面よりも前方突出状に形成されている。
クレセント本体８は、台座７の上下方向中途部に回転自在に支持されていてクレセント受け５に係脱自在に係合する掛け金部９と、この掛け金部９から回転軸心Ｘに略直交する方向に突出していてクレセント本体８を回転操作するための操作レバー部１０とを有する。
【００１７】
掛け金部９は、基板部１１と、この基板部１１の縁部から正面側に立ち上がる係合壁１２とを備えている。
前記クレセント２にあっては、クレセント本体８の操作レバー部１０が、図１及び図６に示すように、上向きの状態となって掛け金部９の係合壁１２がクレセント受け５に係合した状態で、引違い戸等が開かない戸締まり状態とされ、この状態から操作レバー部１０を下方側（図６の矢示Ａ方向、係合解除方向）に略１８０°回転軸心Ｘ廻りに回転させて、クレセント本体８の操作レバー部１０が下向きとなる状態で且つ掛け金部９の係合壁１２がクレセント受け５から外れた状態で、引違い戸等が開閉動作可能とされる。
【００１８】
前記ロック装置１は、クレセント２に対して離反不能で且つ回転軸心Ｘ回りに回転不能に取り付け可能な錠１３と、クレセント２に係合するロック部材１４とを備えて構成されている。
前記錠１３は、本実施の形態では南京錠１３が採用されており、この南京錠１３は、図３に示すように、掛け金１６（つる、シャックル）と、この掛け金１６に連結される錠本体１５とを備えてなり、前記掛け金１６は棒材によって一体形成されていて、一対の足部１８，１９と、この一対の足部１８，１９の一端部同志を連結する連結部２０とを備えており、前記連結部２０は弧状に形成されていて、掛け金１６はＵ字形を呈している。
【００１９】
掛け金１６の一方の足部１８の他端側は、錠本体１５に形成された挿入孔（図示省略）に対して挿脱自在とされ、他方の足部１９は、錠本体１５に、軸心方向に所定量移動自在で且つ軸心方向離反不能（軸心方向抜脱不能）に連結されている。
また、各足部１８，１９の先端側（他端側）には、図６に示すように、係合溝２１が形成されており、一方の足部１８が錠本体１５の挿入孔から抜脱した解錠状態から、該足部１８が錠本体１５の挿入孔に挿入するように両足部１８，１９を軸心方向に移動させることにより、錠本体１５内に設けられた係止部材が各足部１８，１９の係合溝２１に係合して、両足部１８，１９が軸心方向に移動しないように錠本体１５に固定される（一方の足部１８が錠本体１５の挿入孔から抜脱しないように両足部１８，１９が錠本体１５に固定される）ことによって、南京錠１３が施錠状態とされるようになっている。
【００２０】
なお、錠本体１５内には、シリンダ錠が組み込まれていて、該シリンダ錠のキーウェイにキーを差し込んで解錠操作することにより、係合溝２１に対する係止部材の係合が外れ、錠本体１５内に組み込まれたバネの付勢力によって、掛け金１６が軸心方向に移動して、一方の足部１８が錠本体１５の挿入孔から抜脱するようにするようになっている。
また、他方の足部１９は、一方の足部１８が錠本体１５の挿入孔から抜脱した解錠状態で錠本体１５に対して軸心回りに回転自在とされている。
また、本実施の形態では、掛け金１６の足部１８，１９の内、一方の足部１８が、台座７とクレセント受け５との間の空隙１７に先端側から挿通される挿通部とされている。
【００２１】
なお、図例の南京錠１３は、掛け金１６の両方の足部１８，１９が錠本体１５に固定される掛け金ボルトとされているが、一方の足部１８又は他方の足部１９だけが係合溝２１を有する掛け金ボルトとされていてもよい。
また、本発明にあっては、他の形式の錠１３、例えば、掛け金１６の両方の足部１８，１９が錠本体１５の挿入孔に対して挿脱自在とされたもの、又は、施錠・解錠操作をダイヤルや磁石によって行われるようにしたもの等を採用できる。
前記ロック部材１４は、本体部２３と、この本体部２３の背面側に取付固定される蓋体２４とを備えて構成されている。
【００２２】
このロック部材１４の本体部２３は、基壁２５と、この基壁２５の正面側から前方（正面方向）に向けて突出する左右一対の規制壁（規制部）２６を備えており、前記左右規制壁２６間の空間は上下及び正面に開放状とされている。
また、本体部２３の背面には、南京錠１３の掛け金１６の連結部２０及び各足部１８，１９の一部（上部側）を収容するＵ字状の収容溝２８が形成されている。
この収容溝２８は、本体部２３の左右一端側の下端部から左右方向中央部上端側を経て左右他端側の下端部に至るように形成されている。
【００２３】
この収容溝２８に掛け金１６の連結部２０及び各足部１８，１９の一部（掛け金１６の上部）を収容し、蓋体２４を本体部２３の背面に取付固定することにより、ロック部材１４が掛け金１６の上部（連結部２０側）に取付固定されている。
この蓋体２４の本体部２３背面への接当部分２３ａ（蓋体取付面）は、凹設されていて、本体部２３背面の前記接当部分２３ａ以外の部分と、蓋体２４背面とが略面一状とされている。
また、本体部２３背面の蓋体取付面２３ａには、ネジ孔３１が形成されていると共に、リベット突起３２が設けられ、蓋体２４を貫通してネジ孔３１に螺合されるネジ３３及び、蓋体２４を貫通してかしめられるリベット突起３２によって、蓋体２４が本体部２３に着脱不能に取り付けられている。
【００２４】
本実施の形態では、前記のようにして、掛け金１６の一方の足部（挿通部）１８の空隙１７への挿通方向基端側にロック部材１４が固定されている。
また、本体部２３の左右規制壁２６間の正面側には、下端から収容溝２８にかけて下方開放状の凹み部２９が凹設されており、この凹み部２９によって左右の規制壁２６間に比較的薄肉の係合壁（係合部）３０が設けられていて、規制壁２６はこの係合壁３０の左右両側から正面側に突出状として設けられている。
なお、蓋体２４は、この係合壁３０を除く部分に設けられている。
【００２５】
前記構成のロック装置１によってクレセント２をロックする場合、先ず、図６に示すように、一方の足部１８（挿通部）を錠本体１５の挿入孔から抜脱し、且つ該一方の足部１８の下方位置から錠本体１５が外れる位置に該錠本体１５を他方の足部１９回りに所定角度（例えば、１８０°）回転させておく。
そして、クレセント本体８がクレセント受け５に係合した状態において、南京錠１３の一方の足部１８を、クレセント２の台座７とクレセント受け５との間の空隙１７に上方から挿入していくが、このとき、同時に、規制壁２６間にクレセント２の操作レバー部１０が挿入されるように（位置するように）且つ操作レバー部１０と台座７の取付部７ａとの間に係合壁３０が挿入されるように（位置するように）ロック部材１４をクレセント本体８に係合する。
【００２６】
次に、錠本体１５の挿入孔に掛け金１６の一方の足部１８が挿入可能な位置に錠本体１５を他方の足部１９の軸心回りに回転させ、この状態で、一方の足部１８が錠本体１５の挿入孔に挿入するように錠本体１５を足部１８，１９の軸心方向に移動させて、一方の足部１８が錠本体１５の挿入孔から抜脱不能となるように、両足部１８，１９を錠本体１５に固定する（錠１３を施錠状態とする）。
すると、一方の足部１８を上方に移動させようとしても、錠本体１５がクレセント本体８等に接当することから、一方の足部１８が台座７とクレセント受け５との間の空隙１７から上方に抜けることはなく、また、該一方の足部１８はクレセント本体８の掛け金部９によって阻まれて正面側に外れることもなく、また、該一方の足部１８はロック部材１４が台座７に接当すること等によって台座７とクレセント受け５との間の空隙１７から下方にも抜けない。
【００２７】
さらに、一方の足部１８は、台座７とクレセント受け５との間で挟まれていてクレセント本体８の回転軸心Ｘ回りに傾動（回転）することも規制され、この一方の足部１８と一体化されたロック部材１４も該一方の足部１８と共に傾動が規制される。
そして、クレセント２の操作レバー部１０は、ロック部材１４の規制壁２６間に位置しているので（一方の規制壁２６が、操作レバー部１０の、クレセント受け５に対するクレセント本体８の係合解除方向Ａ前方側に位置しているので）、該操作レバー部１０の係合解除方向Ａ前方側に位置する規制壁２６によってクレセント本体８の回転が阻止され（操作レバー部１０の係合解除方向Ａの操作が規制され）、これによってクレセント本体８のクレセント受け５に対する係合を解除することができない（一方の足部１８とロック部材１４とが協働して、クレセント本体８の回転操作を阻止する）ようになっている。
【００２８】
前記左右規制壁２６間の間隔（又は操作レバー部１０と、該操作レバー部１０の係合解除方向Ａ前方側に位置する規制壁２６との間隔）は多種類のクレセント２の操作レバー部１０に対応する間隔に形成されていると共に、係合壁３０の肉厚は、多種類のクレセント２の、操作レバー部１０と台座７の取付部７ａとの間の間隔に対応する厚さに形成されている。
前記構成のロック装置１にあっては、係合壁３０が操作レバー部１０と台座７の取付部７ａとの間に挿入されるようになっているので、ロック装置１は一方の足部１８の軸心回りの回転も規制されるようになっている。
【００２９】
このため、ロック部材１４は、操作レバー部１０から外れにくく、多種類のクレセント２に対応させるべく、左右規制壁２６間の間隔（又は操作レバー部１０と、該操作レバー部１０の係合解除方向Ａ前方側に位置する規制壁２６との間隔）を十分に採れる（換言すると、操作レバー部１０の係合解除方向Ａ前方側に位置する規制壁２６の、操作レバー部１０に対する相対位置を比較的自由に採れる）。
また、規制壁２６は、少なくとも、操作レバー部１０の係合解除方向Ａ前方側に位置していればよいが、左右一対あることにより、クレセント２の操作レバー部１０が、ロック部材１４の規制壁２６間に位置し、該操作レバー部１０を把持することができないようになっている。
【００３０】
図９〜図１４は、本発明の第２の実施の形態を示している。
この第２の実施の形態に係るロック装置１は、前記第１の実施の形態に係るロック装置１とロック部材１４の形状が異なるものであり、その他の構成は前記第１の実施の形態と略同様に構成されているので、同様の部分は説明を省略する。
クレセント２によっては、図１４に示すように、操作レバー部１０と台座７との間に、前記第１の実施の形態におけるロック部材１４の係合壁３０が挿入できない場合があり、本第２の実施の形態のロック装置１のロック部材１４は、この点を考慮して形成されているものである。
【００３１】
この第２の実施の形態にあっては、ロック部材１４の一対の規制壁（規制部）２６間の間隔は、クレセント本体８の操作レバー部１０に係合して、ロック部材１４の挿通部１８の軸心廻りの回転を規制し得る間隔に形成されている。
また、ロック部材１４の規制壁２６は正面側が連結壁３５によって相互に連結され、ロック部材１４の本体部２３の背面側には、係合壁３０が設けられていなく、左右規制壁２６間の空間３４は後方（台座７側）に開放状とされており、ロック部材１４の本体部２３に背面側に開放状の係合溝３４が設けられている。
【００３２】
また、ロック部材１４の本体部２３の背面側には、クレセント２の台座７との干渉を避けるべく、台座７の一部（上部）を収容可能な凹部３６が形成され、この凹部３６は、蓋体２４によって閉塞されておらず、後方（台座７側）に開放状とされている。
ロック部材１４のその他の構成は、第１の実施の形態と略同様に構成される。
なお、本発明のクレセント１は引き違いサッシュに限らず、上げ下げサッシュ等に採用してもよい。
また、図例では、クレセント本体８がクレセント受け５に係合している状態において、クレセント２の掛け金部９の係合壁１２が、正面からみて左側にあるものを示しているが、掛け金部９の係合壁１２が、正面からみて右側にあるものにあっては、ロック部材１４が図例のロック部材１４に対して左右対称のロック部材１４に変更される。
【００３３】
なお、前記各実施の形態において、掛け金１６の一対の足部１８，１９の一端側は、図２２に示すように、直線状又はコ字形の連結部２０によって連結されていてもよい。
また、一対の足部１８，１９の他端側は相互に連結されていなくてもよく、この場合において、一対の足部の１８，１９の他端側は、ロック部材１４を介して相互に連結される。
また、掛け金１６のロック部材１４に対する固定方法は、前記各実施の形態の構造に限定されることはなく、例えば、掛け金１６とロック部材１４とを溶接等によって相互に固定してもよい（以下に示す実施の形態、ロック部材の変形例についても同様である）。
【００３４】
図１５は、第３の実施の形態を示している。
この実施の形態が前記第１の実施の形態と大きく異なる点は、錠１３の掛け金１６が、１本の棒材からなる挿通部１８によって構成されている点である。
この掛け金１６の一端側にはロック部材１４が固定され、掛け金１６の他端側（先端側）には、係合溝２１が形成されていると共に、該掛け金１６の先端側は、錠本体１５の挿入孔に対して挿脱自在であり且つ該挿入孔に挿入することにより係合溝２１に錠本体１５内の係止部材が係合して掛け金１６の挿入孔からの抜脱が阻止されるように構成されている。
【００３５】
なお、錠本体１５の内部の、掛け金１６を係止するロック機構（錠機構）の構造は、南京錠の錠本体の内部のロック機構の構造と略同じ構造であり、図１５（ａ）は、錠本体１５のシリンダ錠を解錠操作するキー３７を挿入するキー溝が、錠本体１５の下面側に設けられている例を示しており、図１５（ｂ）は、錠本体１５のシリンダ錠を解錠操作するキー３７を挿入するキー溝が、錠本体１５の側面に設けられている例を示している。
図１６は、第４の実施の形態を示している。
この第４の実施の形態のロック部材１４は、第１の実施の形態における蓋体２４は設けられていなく、本体部２３のみで構成され、このロック部材１４の左右両側には、掛け金１６の足部１８，１９を挿通する挿通孔４０が貫通形成されており、掛け金１６の一端側の連結部２０等はロック部材１４から露出している。
【００３６】
また、左右の規制壁（規制部）２６の正面側は連結壁４１によって相互に連結されており、係合壁（係合部）３０と左右規制壁２６と連結壁４１とで囲まれる空間が、クレセント２の操作レバー部１０を挿通する挿通孔とされている。
なお、この実施の形態にあっては、掛け金１６の他方の足部１９を錠本体１５に組み付ける前に、掛け金１６の両足部１８，１９をロック部材１４の挿通孔４０に挿通しておく。
図１７は第５の実施の形態を示している。
【００３７】
この実施の形態のロック部材１４は、クレセント２の操作レバー部１０と台座７との間に挿入される係合壁（係合部）３０と、この係合壁３０の左右一側に設けられていて掛け金１６の一方の足部１８を挿通する挿通孔４２を有する被挿通部４３と、係合壁３０の左右他側に設けられた規制壁（規制部）２６と、この規制壁２６の背面側に設けられていて掛け金１６の他方の足部１９に嵌合する嵌合溝４４と、係合壁３０の左右方向中央側から上方に突出されていて掛け金１６の連結部２０に嵌合する嵌合溝４５を背面側に有する嵌合部４６とを備えている。
【００３８】
この実施の形態にあっては、掛け金１６の一方の足部１８を錠本体１５から抜脱した状態でロック部材１４の被挿通部４３の挿通孔４２に一方の足部１８を挿通した後、他方の足部１９及び連結部２０に嵌合溝４４，４５を嵌合させることで、ロック部材１４が掛け金１６に取付固定される。
なお、前記規制壁２６背面側と他方の足部１９、及び／又は、嵌合部４６と連結部２０は、他方の足部１９及び連結部２０に嵌合溝４４，４５を嵌合させた後に、かしめ又は溶接等によって、相互に固定してもよい。
【００３９】
図１８は、第６の実施の形態を示しており、第５の実施の形態と異なる点は、嵌合部４６が設けられていない点であり、その他の構成は、第５の実施の形態と同様に構成される。
図１９〜図２１は、ロック部材１４の変形例を示している。
図１９（ａ）、（ｂ）、（ｃ）、図２０（ａ）、（ｂ）において、各ロック部材１４は、板材をプレス成形することにより形成されている。
図１９（ａ）に示すロック部材１４は、正面側部材４８と背面側部材４９との２部材によって形成されている。
【００４０】
正面側部材４８は主壁部４８ａと、この主壁部４８ａの左右両側に形成された半円筒部４８ｂとを有し、前記主壁部４８ａに左右一対の規制壁（規制部）２６が一体形成されている。
背面側部材４９は、主壁部４９ａと、この主壁部４９ａの左右両側に形成された半円筒部４９ｂとを有する。
これら正面側部材４８と背面側部材４９との主壁部４８ａ，４９ａ同志は、相互に重合されてかしめ、リベット止め等によって接合されている。
【００４１】
図中５１は、かしめ部分を示している。
また、正面側部材４８と背面側部材４９との半円筒部４８ｂ，４９ｂ同志が重ね合わされて、錠１３の掛け金１６の左右の足部１８，１９を挿通するための円筒状の被挿通部５２が形成されている。
また、係合壁（係合部）３０は、正面側部材４８と背面側部材４９の主壁部４８ａ，４９ａで構成されている。
このロック部材１４にあっては、正面側部材４８と背面側部材４９とを重ね合わせる際に、被挿通部５２に、足部１８，１９を挿通状とした後に、正面側部材４８と背面側部材４９とが相互に連結固定される。
【００４２】
図１９（ｂ）に示すロック部材１４は、前記ロック部材１４と同じく、正面側部材５４と、背面側部材５５とから構成されている。
正面側部材５４は、主壁部５４ａを有し、この主壁部５４ａの左右一側の上下方向中途部には、円筒状に巻回することにより形成された被挿通部５４ｂが形成され、左右他側には、掛け金１６の他方の足部１９に嵌合する嵌合部５４ｃが形成されており、主壁部５４ａの左右方向中途部には、切り起こしによって形成された規制壁（規制部）２６が設けられている。
【００４３】
背面側部材５５は、主壁部５５ａと、この主壁部５５ａの左右一側に円筒状に巻回することにより形成された上下一対の被挿通部５５ｂとを有する。
また、正面側部材５４の被挿通部５４ｂの上下に、背面側部材５５の被挿通部５５ｂが略同心状に位置しており、これら被挿通部５４ｂ，５５ｂに、掛け金１６の一方の足部１８を挿通させることにより、該一方の足部１８廻りに正面側部材５４と背面側部材５５とが回動自在とされて取り付けられる。
また、正面側部材５４と背面側部材５５との主壁部５４ａ，５５ａ同志は、正面側部材５４の嵌合部５４ｃと背面側部材５５主壁部５４ａとの間に掛け金１６の他方の足部１９を挿通状とした状態で、重ね合わされて、かしめ、リベット止め等によって接合されている。
【００４４】
図中５６は、かしめ部分を示している。
また、係合壁（係合部）３０は、正面側部材５４と背面側部材５５の主壁部５４ａ，５５ａで構成されている。
図１９（ｃ）に示すロック部材１４は、１枚の板材によって一体形成され、左右方向中央部に一対の規制壁（規制部）２６が形成され、左右規制部２６間が係合壁（係合部）３０とされ、左右両側にＵ字状の嵌合部５９が形成されている。
前記Ｕ字状の嵌合部５９内に掛け金１６の足部１８，１９を挿通状とした後に、該嵌合部５９の縁部側５９ａをかしめることにより、嵌合部５９が足部１８，１９に取付固定されるようになっている。
【００４５】
図２０（ａ）に示すロック部材１４は、１枚の板材によって一体形成され、係合壁（係合部）３０の左右両側にＵ字状の嵌合部６２が形成され、左右嵌合部６２の縁部側に左右の規制壁（規制部）２６が形成されている。
このロック部材１４にあっては、左右の嵌合部６２に左右の足部１８，１９を挿通状とした後に、係合壁３０の左右方向中央側をかしめることにより、ロック部材１４が、足部１８，１９に取付固定されるようになっている。
図２０（ｂ）に示すロック部材１４は、正面側部材６４と、背面側部材６５との２部材で構成されている。
【００４６】
正面側部材６４は、左右一対の規制壁（規制部）２６を有し、これら規制壁２６の正面側縁部同志は連結壁６７によって相互に連結されている。
また、規制壁２６の背面側縁部から左右方向外方に正面壁６８が延設され、この各正面壁６８の左右方向外端側縁部から背面側に延設壁６９が延設されており、この延設壁６９の縁部側にかしめ片７０が設けられている。
背面壁６５は、係合壁（係合部）３０を有し、この係合壁３０の左右両側には、係合壁３０の左右の縁部から背面側に延びる第１壁７１ａと、この第１壁７１ａの背面側縁部から左右方向外方に延びる第２壁７１ｂとから形成された段付き壁７１を有する。
【００４７】
このロック部材１４にあっては、掛け金１６の左右の足部１８，１９を、正面側部材６４の正面壁６８と延設壁６９との間のコーナー部分と、背面側部材６５の段付き壁７１との間に挟み込み、その後、かしめ片７０を左右方向内方側に折り曲げてかしめることにより、ロック部材１４が掛け金１６に取付固定される。
図２０（ｃ）に示すロック部材１４は、正面側部材７３と、背面側部材７４と、ピンで構成された一対の規制部２６とを有する。
正面側部材７３及び背面側部材７４は、プレス成形又はダイカスト等によって形成される。
【００４８】
正面側部材７３の左右両側には、断面湾曲状に形成された嵌合部７５を有し、この嵌合部７５と背面壁７４の左右両側との間に掛け金１６の左右足部１８，１９を挟み込み込むようにして、正面側部材７３と背面側部材７４とを重ね合わせると共に、これらを溶接、接着、かしめ等によって相互に連結固定することにより、ロック部材１４が掛け金１６に取付固定される。
図２１（ａ）に示すロック部材１４は、パイプ材７７をプレス成形することにより形成されている。
【００４９】
左右両側には、掛け金１６の足部１８，１９が挿通される被挿通部７８が形成されている。
このロック部材１４にあっては、パイプ材７７に掛け金１６の足部１８，１９を挿通した後に、プレス成形するか、又は、ロック部材１４をプレス成形した後に、掛け金１６を錠本体１５に組み付ける前に、被挿通部７８に足部１８，１９を挿通させるようにしてもよい。
図２１（ｂ）に示すロック部材１４は、鉄線等の線材を折曲することにより一体形成されている。
【００５０】
このロック部材１４にあっては、規制部２６は、側面視背面側に開放状のコ字形に折曲されて形成されている。
また、係合部３０は、コ字形の規制部２６の下部側端部から左右方向外方に延出されており、この係合部３０の延出端部に掛け金１６の一方の足部１８が挿通される被挿通部８０が形成され、コ字形の規制部２６の上部側端部から左右方向外方に延出された延出部８１の延出端部に掛け金１６の他方の足部１９が挿通される被挿通部８０が形成されている。
【００５１】
なお、本実施の形態では、挿通部１８とロック部材１４とを別体で製作して、一体的に連結（結合）したものを開示したが、挿通部１８とロック部材１４とを、鋳造、鍛造、又は切削加工等によって一体形成したものであってもよい。
なお、挿通部１８の錠本体１５に対する係合のしかたは、挿入に限ることはなく、挿通部１８が錠本体１５に対して係脱自在であり、挿通部１８に錠本体１５を係合して該錠本体１５を施錠状態とすることにより、錠本体１５が挿通部１８から離反不能とされるようになっていればよい。
【図面の簡単な説明】
【００５２】
【図１】第１の実施の形態に係るロック装置の正面図である。
【図２】第１の実施の形態に係るロック装置の背面図である。
【図３】第１の実施の形態に係るロック装置の蓋体を外した状態の背面図である。
【図４】第１の実施の形態に係るロック装置の側面図である。
【図５】第１の実施の形態に係るロック装置の平面図である。
【図６】第１の実施の形態に係るロック装置の取り付けの説明をするための正面図である。
【図７】第１の実施の形態に係るロック装置の取り付けの説明をするための側面一部断面図である。
【図８】クレセントの平面図である。
【図９】第２の実施の形態に係るロック装置の正面図である。
【図１０】第２の実施の形態に係るロック装置の背面図である。
【図１１】第２の実施の形態に係るロック装置の蓋体を外した状態の背面図である。
【図１２】第２の実施の形態に係るロック装置の側面図である。
【図１３】第２の実施の形態に係るロック装置の側面図である。
【図１４】第２の実施の形態に係るロック装置の取り付けの説明をするための側面一部断面図である。
【図１５】第３の実施の形態に係るロック装置の正面図である。
【図１６】（ａ）は第４の実施の形態に係るロック装置の正面図、（ｂ）はＢ−Ｂ線矢示断面図である。
【図１７】（ａ）は第５の実施の形態に係るロック装置の正面図、（ｂ）はＣ−Ｃ線矢示断面図、（ｃ）はＤ−Ｄ線矢示断面図である。
【図１８】第６の実施の形態に係るロック装置の正面図である。
【図１９】ロック部材の変形例を示す斜視図である。
【図２０】ロック部材の変形例を示す斜視図である。
【図２１】ロック部材の変形例を示す斜視図である。
【図２２】錠の他の例を示す図である。
【符号の説明】
【００５３】
５    クレセント受け
７    台座
８    クレセント本体
１０    操作レバー部
１３    南京錠（錠）
１４    ロック部材
１６    掛け金
１７    空隙
１８    足部（挿通部）
１９    足部
２０    連結部
２６    規制壁（規制部）
３０    係合壁（係合部）
Ａ    係合解除方向
【図１】
2004316406.tif 000003
【図２】
2004316406.tif 000004
【図３】
2004316406.tif 000005
【図４】
2004316406.tif 000006
【図５】
2004316406.tif 000007
【図６】
2004316406.tif 000008
【図７】
2004316406.tif 000009
【図８】
2004316406.tif 000010
【図９】
2004316406.tif 000011
【図１０】
2004316406.tif 000012
【図１１】
2004316406.tif 000013
【図１２】
2004316406.tif 000014
【図１３】
2004316406.tif 000015
【図１４】
2004316406.tif 000016
【図１５】
2004316406.tif 000017
【図１６】
2004316406.tif 000018
【図１７】
2004316406.tif 000019
【図１８】
2004316406.tif 000020
【図１９】
2004316406.tif 000021
【図２０】
2004316406.tif 000022
【図２１】
2004316406.tif 000023
【図２２】
2004316406.tif 000024